(57)【要約】【課題】本発明は、既存のプラグをコンセントに差し込むタイプの電気機器をそのまま、且つ、容易に適用でき、しかも、どのような機種であっても使用する電気機器の変更も容易に行える電源供給ユニットの提供を目的とする。【解決手段】外部からの電源を受入れる電源入力部１７と、入力された電源を電気機器側に出力する電源出力部１２と、上記電源入力部１７と上記電源出力部１２との間に介装されて電源のＯＮ／ＯＦＦが操作される電源ＯＮ／ＯＦＦ操作部２８と、無線で遠隔操作された電源ＯＮ／ＯＦＦ操作信号を受信する受信部１４と、上記電源ＯＮ／ＯＦＦ操作信号に対応する上記受信部からの信号に基づいて、上記電源ＯＮ／ＯＦＦ操作部を駆動させて操作する駆動部３３とを備えた電源供給ユニット１０、４０、５０。【選択図】    図１
2004336896.tif 000002
【特許請求の範囲】
【請求項１】
外部からの電源を受入れる電源入力部と、
入力された電源を電気機器側に出力する電源出力部と、
上記電源入力部と上記電源出力部との間に介装されて電源のＯＮ／ＯＦＦが操作される電源ＯＮ／ＯＦＦ操作部と、
無線で遠隔操作された電源ＯＮ／ＯＦＦ操作信号を受信する受信部と、
上記電源ＯＮ／ＯＦＦ操作信号に対応する上記受信部からの信号に基づいて、
上記電源ＯＮ／ＯＦＦ操作部を駆動させて操作する駆動部とを備えた
電源供給ユニット。
【請求項２】
無線で遠隔操作して電源ＯＮ／ＯＦＦ操作信号を前記受信部に送信する送信器を備えた
請求項１に記載の電源供給ユニット。
【請求項３】
ブレーカーの電源出力部と前記電源入力部とを直列接続とする
請求項１、又は２に記載の電源供給ユニット。
【請求項４】
電源の常時供給状態、又は、前記遠隔操作による電源のＯＮ／ＯＦＦ操作が可能な状態かのいずれか一方の状態を切り換える切り換え手段を形成した
請求項項１、２、又は、３に記載の電源供給ユニット。
【発明の詳細な説明】
【０００１】
【発明の属する技術分野】
この発明は、無線による遠隔操作により照明器具や、その他の電気機器の電源ＯＮ／ＯＦＦ操作を可能とする電源供給ユニットに関する。
【０００２】
【従来の技術】
従来、利便性向上のため、家庭内に多数有する照明器具や、その他の電気機器を一括でＯＮ／ＯＦＦ操作を可能とするための技術が提案されている。
【０００３】
例えば、先行技術１（特許文献１参照）の場合、屋内の壁面に埋設された特に、シーソー型のスイッチを備えた既存のスイッチ装置を対象とし、該シーソー型のスイッチ上面にスイッチ切り換え装置と呼ばれる装置を２本のビスで取り付けて、該切り換え装置を遠隔から操作する操作装置（リモートコントローラ）を用いて、スイッチ切り換え装置内の扇形ギアを回動させてスイッチを押圧することにより、物理的に下部のスイッチを切り換えて遠隔でも操作ができるという技術である。
【０００４】
しかし、この技術の場合、壁に埋設されたシーソー型のスイッチを対象に形成しており、このような形態のスイッチを用いた照明機器には、有効であるが、その他のコンセントプラグを差し込んで電源を確保する電気機器に使用することができない。
【０００５】
また、スイッチ装置をシーソー型スイッチに２本のビスで取り付ける手間を要し、取り付けた状態では、直接シーソー型スイッチを手動で使用することができない。つまり、操作装置とスイッチとを共に使用することができない。
【０００６】
また、先行技術２（特許文献２参照）の場合は、照明器具に限らず、他の電気機器も対象としている。概要は、室内の壁面に埋設された壁スイッチの形態を採るが、該壁スイッチは、押しボタン（スイッチ）だけでなく、遠隔から送信される信号を受信するレシーバを備え、さらに、予め電気機器の電源配線を壁内にて取り回し、壁スイッチに連結して、該壁スイッチに送信器で遠隔位置からレシーバを制御することにより、電気機器ごとに電源のＯＮ／ＯＦＦ操作ができるという技術である。
【０００７】
しかし、上記技術の場合、レシーバを壁スイッチ内に埋め込む作業や、電気機器の電源配線を壁内において配線する内装工事が必要であり、既存のプラグ接続による電気機器をそのまま用いることができない。しかも、新たな電気機器に取り換える場合等の上記内装工事をした後に変更を加えるのは労力を要する。
【０００８】
【特許文献１】
特開昭６３−２１８１０９号公報
【特許文献２】
実用新案登録第３０５６９５８号公報。
【０００９】
【発明が解決しようとする課題】
そこで本発明は、既存のプラグをコンセントに差し込むタイプの電気機器をそのまま、且つ、容易に適用でき、しかも、どのような機種であっても使用する電気機器の変更も容易に行える電源供給ユニットの提供を目的とする。
【００１０】
【課題を解決するための手段】
この発明は、外部からの電源を受入れる電源入力部と、入力された電源を電気機器側に出力する電源出力部と、上記電源入力部と上記電源出力部との間に介装されて電源のＯＮ／ＯＦＦが操作される電源ＯＮ／ＯＦＦ操作部と、無線で遠隔操作された電源ＯＮ／ＯＦＦ操作信号を受信する受信部と、上記電源ＯＮ／ＯＦＦ操作信号に対応する上記受信部からの信号に基づいて、上記電源ＯＮ／ＯＦＦ操作部を駆動させて操作する駆動部とを備えた電源供給ユニットであることを特徴とする。
【００１１】
上記電源入力部は、電源プラグ差し込むコンセント、あるいは、該コンセントを介さずに電源入力部と出力端子とをビス等を用いて結線して構成する入力部も含む。
【００１２】
なお、上記電源入力部には、上記入力部から受入れた交流電圧の１部を、所定の直流電圧に変換する交流／直流電源変換器へ後述する電源ＯＮ／ＯＦＦ操作部を制御するための電源を分岐させた構成とすることができる。
【００１３】
上記電源出力部は、複数設けることを含み、上記受入れた電源を電気機器の側へ出力するコンセント、あるいは、電源出力部と電気機器の入力端子とをビス等を用いて結線して構成する出力も含む。
【００１４】
また、該出力部において電源供給がされているか、否かの状態を表示する等の表示部も含めた構成とすることができる。
【００１５】
上記電源ＯＮ／ＯＦＦ操作部は、例えば、遠隔操作する場合はリレー接点を示す。上記リレー接点の場合、上記駆動部は、リレースイッチを示し、上記受信部からの信号に基づいて、上記駆動部におけるリレースイッチを駆動して上記ＯＮ／ＯＦＦ操作部におけるリレー接点を操作する。
なお、上記電源供給ユニットの内部回路に用いるリレーは、機械式のリレー、又は、半導体式のリレー等同様の機能を有するものを全て含む。
【００１６】
上記受信部は、入射した光を受信して所定の信号を出力するホトトランジスタ、フォトダイオード等の光電素子、さらに、それらの構成に集光レンズを備えて形成したものを含む。また、電磁波を受信するアンテナ等を備えて形成したものも含む。
【００１７】
また、上記受信部の受信形態に対応し、無線で遠隔操作して電源ＯＮ／ＯＦＦ操作信号を前記受信部に送信する送信器（リモートコントローラ）を備えて形成することができる。
【００１８】
上述する構成によれば、電源入力部に備えた電源配線を電源部に接続し、既存の電源配線の電気機器を出力部に接続するだけで、送信器による遠隔位置からの操作で上記電源ＯＮ／ＯＦＦ操作部によって導通することができる。
【００１９】
また、電源の常時供給状態、又は、遠隔操作による電源のＯＮ／ＯＦＦ操作が可能な状態かのいずれか一方の状態に切り換えるスイッチ等の切り換え手段を形成することができる。
【００２０】
上記電源ＯＮ／ＯＦＦ操作を切り換え手段は、電源ＯＮ／ＯＦＦ操作部に、あるいは、上記電源ＯＮ／ＯＦＦ操作部を操作する前に、該駆動部を駆動、又は、停止させる駆動部の直前の部位等に形成することで上記いずれか一方の状態に切り換え可能に形成することができる。
【００２１】
この場合、例えば切換手段であるスイッチをＯＮ状態に切り換えておけば、電源の常時供給状態とすることができ、また、ＯＦＦ状態に切り換えておけば、後述する送信器等を用いて電源のＯＮ／ＯＦＦ操作が可能な状態とすることができる。
【００２２】
すなわち上記切り換え手段により、電源の供給状態に切り換えれば、電源供給ユニットは、絶えず電源を供給するため、電源部から電気機器までを通常の電源配線で接続したものと同様の形態となるため、電源のＯＮ／ＯＦＦ操作は、通常どおり電気機器に備えたスイッチで行うことができる。
【００２３】
また、上記切り換え手段を電源のＯＮ／ＯＦＦ操作が可能な状態に切り換えれば、電気機器に備えたスイッチを用いなくても、上記送信器を用いて、電源のＯＮ／ＯＦＦ操作をすることができる。
なお、上記送信器で、電源のＯＮ操作した後であれば、電源供給ユニットは、絶えず電源を供給する状態となるため、電源のＯＮ／ＯＦＦ操作は、通常どおり電気機器に備えたスイッチでも行うことができる。
【００２４】
また、上述した電源供給ユニットは、各部屋ごとに備え、該各部屋ごとの電源コンセントとしても構わない。あるいは、ブレーカーから出力した直後に連結して、その電源出力部を各部屋に導出し、各部屋ごとに備えた特に照明器具、換気扇等の電気機器へ直接電源を供給する形態としてもよい。
なお、送信器からの送信手段に、電磁波を用いれば、壁越しであっても電源のＯＮ／ＯＦＦ操作が可能となる。
【００２５】
さらに、例えば天井吊り下げ型の照明器具の天井への取り付け部に照明器具用の小型に形成した電源供給ユニットを取り付け、上記送信器を用いて照明器具の電源のＯＮ／ＯＦＦ操作を行ってもよい。
【００２６】
【発明の効果】
この発明によれば、電源供給ユニットの電源入力部を電源ラインに接続し、電源出力部を電気機器に接続すれば、送信器（リモートコントローラ）によって電源供給ユニット、及び、電気機器から離れた遠隔位置から電気機器の電源ＯＮ／ＯＦＦの制御が簡単にできる。
【００２７】
さらに、電源供給ユニットの電源入力部、及び、電源出力部をプラグ、及びコンセントタイプに形成すれば、既設のコンセントに、当該電源供給ユニットを接続すれば、該電源供給ユニットを無線コンセントとして簡単に使用でき、壁スイッチ等の屋内の備品に工事を施したり、電気機器に手を加えなくても、既存に用いていた電気機器をそのまま、且つ、容易に用いることができる。
【００２８】
屋内に備えた１つ１つの電気機器の電源スイッチを切らなくても、送信器等を用いれば、送信器１つを用いて部屋中の電気機器の電源のＯＮ／ＯＦＦ操作を一括で行うことができるため、例えば、外出の時等は、電源を消し忘れることもない。
【００２９】
電源供給ユニットで電源ＯＮ／ＯＦＦ操作をすれば、エアコン（空調機器）や、テレビ等の電気機器に備えた送信器（リモートコントローラ）で電源を切っても消費される待機電力がかかることもない。しかも、待機電力を省くために、使用毎にいちいちコンセントからプラグを抜く必要もなく、一括で電源ＯＮ／ＯＦＦ操作ができる。
【００３０】
また、ブレーカーの直後に電源供給ユニットを取り付けて該電源供給ユニットから各部屋ごとに備えた照明器具等へ直接電源を供給する形態として、電源のＯＮ／ＯＦＦ操作の信号を送信器で行えば、壁面に埋設したスイッチ等を用いて電源のＯＮ／ＯＦＦ操作をする必要がないため、該スイッチ部を形成しない分、コストを削減できる。
【００３１】
【発明の実施の形態】
この発明の一実施形態を、以下図面を用いて説明する。
図１に示すごとく、この実施例では略直方体をした電源供給ユニット１０を室内コンセント１１に接続した例を示す。
【００３２】
上記電源供給ユニット１０の外観構成は、長手方向における正面側に、出力部として電源コンセント１２を３つ略等間隔に隔てて並設し、図１のごとく載置したときに、各電源コンセント１２の上側部位に、パイロットランプ１３（赤色ＬＥＤ）を３つ備えている。
また、上記各電源コンセント１２を隔てた前記パイロットランプ１３と反対側に、スイッチ３５を形成してもよい。
【００３３】
また、上記正面側における１コーナー部には、受信用の入射光を受信する受信器１４を形成している。
【００３４】
さらに、２つの上記電源コンセント１２には、室内に有するオーディオ機器８１の電源プラグ１９と、扇風機８２の電源プラグ１６をそれぞれ差し込んでいる。
【００３５】
また、長手方向における一方の端面から延設している配線を介して、入力部として電源プラグ１７を備え、該電源プラグ１７を室内コンセント１１に差し込んでいる。
【００３６】
また、上記電源供給ユニット１０を、遠隔から無線で操作が可能な無線操作器１８（送信器、又は、リモートコントローラ）を、室内に備えている。該無線操作器１８は、利用者がボタン１８ｃを押して操作する操作部１８ａと、該操作部１８ａによる情報に基づいて赤外線を用いた操作信号を送信する送信部１８ｂとを備えて形成している。
【００３７】
電源供給ユニット１０は、上述した形態で室内に載置しているが、該電源供給ユニット１０の内部の回路構成に着目すると、図２の回路図に示すごとく、まず、上記電源プラグ１７から入力した電源を、リレー接点２８を介して、電源コンセント１２から電気機器８１、８２側へ出力する。
【００３８】
さらに、上記リレー接点２８により、電源のＯＮ／ＯＦＦ操作を行うが、該リレー接点２８を切り換えるために、前記無線操作器１８により送信した信号を受信器１４で受信する。
【００３９】
すなわち、該受信器１４は、フォトダイオード２９（光電素子）と光信号受信回路３２とで構成し、上記フォトダイオード２９で無線操作器１８から送信される信号を受信して、該受信した信号に応じて光受信回路３２は、所定のパルス信号を出力する。
【００４０】
また、双方向型のフリップフロップ回路３３は、上記所定のパルス信号を入力し、上記フリップフロップ回路３３から電源のＯＮ／ＯＦＦ操作信号の出力を生じる。
【００４１】
なお、交流／直流電圧回路２７は、電気回路の動作電源を得るためにＤＣ５Ｖを生成して、所定の回路に供給している。
【００４２】
さらに、上記フリップフロップ回路３３を出力後段に形成する手動切り換えのスイッチ３５が導通状態であれば、上記フリップフロップ回路３３の出力は、リレースイッチ３４に達し、該リレースイッチ３４が駆動（ＯＮ）することになり、上記リレー接点２８を切り換えて電源のＯＮ操作をすることができる。
【００４３】
すなわち、上記スイッチ３５の切り換え操作により、上記フリップフロップ回路３３の出力でリレースイッチ３４をＯＮ／ＯＦＦ動作させれば（図２のａ接点）、無線操作器１８による電源のＯＮ／ＯＦＦ操作が可能な状態となり、また、動作電源の５Ｖの側に切り換えれば（図２のｂ接点）、リレースイッチ３４が導通状態となるため、リレー接点２８が常時ＯＮとなり、電気機器８１、８２に対して電源の常時供給状態とすることができる。
【００４４】
また、上記スイッチ３５と上記フリップフロップ回路３３の間には、上記パイロットランプ１３として赤色ＬＥＤ１３を取り付けている。該赤色ＬＥＤ１３は、上記電源のＯＮ／ＯＦＦ操作信号が通過すると点灯する。
つまり、上記パイロットランプ１３は、フリップフロップ回路３３の出力で点灯し、上記無線操作器１８でＯＮ操作された状態を表示することができる。
【００４５】
なお、上記スイッチ３５の接続箇所を、上記リレー接点２８（ＲＹ−１）に形成することができる。この場合、上記フリップフロップ回路３３と上記上記リレースイッチ３４とを直接接続状態とし、図３に示すごとくリレー接点２８（ＲＹ−１）と並列に接続する回路となる。
【００４６】
この形態のスイッチ３５の場合、該スイッチ３５を手動操作でＯＮ状態にすると、リレー接点２８が接触しているか否かに関わらず入力電源を出力し、電源の常時供給状態となるが、該スイッチ３５をＯＦＦ状態にすると、リレー接点２８の動作が有効となるため、無線操作器１８の有効／無効の操作ができる。
【００４７】
なお、図２では、１つの電源コンセント１２に対応する回路図のみ記載したが、電源供給ユニット１０には、３つの電源コンセント１２を備えているため、実際は、上記フリップフロップ回路３３、スイッチ３５、赤色ＬＥＤ１３、リレースイッチ３４、リレー接点２８は、３つの電源コンセント１２に対応してそれぞれ３つづつ形成している。
【００４８】
すなわち、利用者は、電気機器へ出力する３つの電源コンセント１２ごとに対応する無線操作器１８のボタン１８ｃを押せば、そのボタン１８ｃごとに予め設定しておいた信号を送信し、該信号を受信した光信号受信回路３２は、３つ有するフリップフロップ回路３３のうち利用者が押したボタン１８ｃに対応するフリップフロップ回路３３へ受信信号を送信し、以下、上述した電源のＯＮ／ＯＦＦ操作と同様に対応する電源コンセント１２への電源のＯＮ／ＯＦＦ操作を行う。
【００４９】
また、利用者は、上記構成を採る電源供給ユニット１０を用いて、室内の所定の場所に載置している扇風機８２を作動（ＯＮ状態に）する場合、扇風機８２の電源プラグ１６が差し込まれている電源供給ユニット１０における電源コンセント１２に対応する無線操作器１８におけるボタン１８ｃを押せば、ＯＮ操作されたこととなり、扇風機８２へ電源を供給して、扇風機８２を動作（ＯＮ状態と）することができる。
【００５０】
再度、同一のボタン１８ｃを押せば、電源のＯＦＦ操作がされたこととなり、電源の供給を停止して扇風機８２を停止（ＯＦＦ状態と）することができる。
【００５１】
なお、上記電源供給ユニット１０において、無線操作器１８で、又は、スイッチ３５でＯＮ状態にしておけば、通常どおり、電気機器８１、８２に形成する電源ＯＮ／ＯＦＦスイッチで切り換えることもできる。
【００５２】
また、上記ボタン１８ｃを押す動作において、電源供給ユニット１０内に、上記フリップフロップ回路３３を形成することで、利用者はボタン１８ｃを押し続ける必要がない。
【００５３】
上述するごとく、電源供給ユニット１０の電源コンセント１２に電気機器の電源プラグを差し込むだけで既存の電気機器を使用することができる。
【００５４】
また、上記電源供給ユニット１０は、電源コンセント１２とそれに伴う内部回路の数をさらに多数形成して、様々な電気機器５３に対応できるよう形成しても構わない。
【００５５】
また、上記電源供給ユニット１０における電源プラグ１７は、電気配線を介して室内コンセント１１に差し込んだ形態であるが、この形態を採れば、電気配線の長さの範囲で上記電源供給ユニット１０を任意の場所に載置できる。
一方、上記電源供給ユニット１０は、上記電気配線を用いず上記電源供給ユニット１０の裏面に、電源プラグ１７が突き出した形態に形成し、上記電源供給ユニット１０ごと該電源プラグ１７を室内コンセント１１に取り付ける形態としても構わない。この形態を採れば、上記電源供給ユニット１０を床に載置せず、コンパクトにできるため、見栄えを保つことができる。
【００５６】
次に、他の実施の形態として、図４に示すごとく、天井吊り下げ型のペンダンライト４１において、通常では、ペンダンライト４１における天井面に埋設した取り付け部４６における電源コンセント４３に、該ペンダンライト４１の電源プラグ４４が差し込むことにより、天井に取り付いた形態となっている。
【００５７】
ここで、天井の電源コンセント４３にペンダンライト４１を直接取り付けず、上記取り付け部４６と略同径の円筒状をした小型の電源供給ユニット４０を介して取り付ける。すなわち、電源供給ユニット４０は、電源プラグ１７が上部、電源コンセント１２が下部に位置する形態で取り付けている。
【００５８】
さらに、上記電源プラグ１７、及び、上記電源コンセント１２に対応する上述の図２で説明した回路構成を１組内蔵し、上記受信器１４は、側面部における所定の対向部位に２つ形成している。
【００５９】
上記構成により、ペンダンライト４１から垂下している紐部材４２を引張って、ＯＮ／ＯＦＦ操作することや、壁面のスイッチ４５を押す必要もなく、無線操作器１８により、いずれの場所からでも容易に電源のＯＮ／ＯＦＦ操作ができる。
【００６０】
さらに、例えば、上記小型の電源供給ユニット４０と、上述した電源供給ユニット１０とに共有の無線操作器１８を形成し、該無線操作器１８を用いてペンダンライト４１を含めた電気機器を一括で操作できるようにしてもよい。
【００６１】
次に、他の実施の形態として、図５（ａ）に示すごとく、例えば、家を建築する際において上述のごとく、ブレーカー５１の電源出力端子と前述の電源供給ユニットと同様の回路構成を備えた電源供給ユニット５０の電源入力部１７とを直列に接続し、該電源供給ユニット５０を各部屋５４、５５に載置し、該電源供給ユニット５０から各電気機器に接続すれば、ペンダンライト４１、換気扇等の壁スイッチ４５の配線、あるいは壁スイッチ４５自体を別途壁内に形成する必要もなく一台の無線操作機器１８で部屋５４、５５中の電気機器の電源のＯＮ／ＯＦＦ操作をすることができる。
【００６２】
また、他の実施例として図５（ｂ）に示すごとく、上述の電源供給ユニット５０をブレーカー５１の直後に並べて、該電源ユニット５０からの出力電源を各部屋５４、５５ごとの電気機器５３へ出力する形態に形成してもよい。
【００６３】
この場合、電源供給ユニット５０は、上述するごとく電源コンセント１２、電源プラグ１７等は形成せずに、電源の入力端子を形成し、該入力端子をそれぞれ電気機器、室内コンセント１１、及び、電源出力端子へ結線している。
【００６４】
上記形態の場合、例えば各部屋５４、５５ごとにペンダンライト４１用の出力電源と、室内コンセント１１用との出力電源を供給しておけば、上述した実施例と同様にペンダンライト４１のスイッチ４５を形成する必要もなく、さらに、室内コンセント１１を用いて任意の電気機器を使用することができる。
【００６５】
なお、無線操作器１８と受信器１４との信号送受信形態を、電磁波による信号を用いて電源のＯＮ／ＯＦＦ操作をすれば、壁を隔てていても１台の電源供給ユニット１０、４０に対して、家単位で電源のＯＮ／ＯＦＦ状態を管理することができる。
【００６６】
上述の実施形態と、この発明の構成との対応において、
この実施形態の電源プラグ１７は、この発明の電源入力部に対応し、
以下同様に、
電源コンセント１２は、電源出力部に対応し、
リレー接点２８は、電源ＯＮ／ＯＦＦ操作部に対応し、
受信器１４（フォトダイオード２９、及び、光信号受信回路３２）は、受信部に対応し、
フリップフロップ回路３３、及び、リレースイッチ３４は、駆動部に対応し、
無線操作器１８は、送信器に対応するも、
この発明は、上述の実施形態の構成のみに限定されるものではなく、多くの実施の形態を得ることができる。
【図面の簡単な説明】
【図１】電源供給ユニットの使用形態を示す外観図。
【図２】電源供給ユニットの回路構成図。
【図３】電源供給ユニットの他の回路図。
【図４】他の電源供給ユニットの使用形態を示す外観図。
【図５】さらに他の電源供給ユニットの使用形態を示すブロック図。
【符号の説明】
１０、４０、５０…電源供給ユニット
１７…電源プラグ１７
１２…電源コンセント
２８…リレー接点
１４…受信器
２５…駆動部
３５…スイッチ
３３…フリップフロップ回路
３４…リレースイッチ
１８…無線操作器
５１…ブレーカー
【図１】
2004336896.tif 000003
【図２】
2004336896.tif 000004
【図３】
2004336896.tif 000005
【図４】
2004336896.tif 000006
【図５】
2004336896.tif 000007